(57)【要約】      （修正有）【課題】マクロ無線基地局配下のマクロセル及びホーム無線基地局配下のＣＳＧセルが地理的に重畳するように配置されている場合に、ＣＳＧセルからマクロセルに対する干渉を適切に低減する。【解決手段】移動通信システムにおいて、ホーム無線基地局ＨｅＮＢは、Ｓ１インターフェイスを介して、マクロ無線基地局ｅＮＢから、ＣＳＧセル＃Ｂからマクロセル＃Ａに対する干渉を低減するために適用すべき制御法を取得するように構成されている。【選択図】図１
2012080445.tif 000002
【特許請求の範囲】
【請求項１】
マクロ無線基地局配下のマクロセル及びホーム無線基地局配下のＣＳＧセルが地理的に重畳するように配置されている移動通信システムであって、
前記ホーム無線基地局は、移動管理ノードとの間のインターフェイスを介して、前記マクロ無線基地局から、前記ＣＳＧセルから前記マクロセルに対する干渉を低減するために適用すべき制御法を取得するように構成されていることを特徴とする移動通信システム。
【請求項２】
マクロ無線基地局配下のマクロセル及びホーム無線基地局配下のＣＳＧセルが地理的に重畳するように配置されている移動通信システムであって、
前記ホーム無線基地局は、前記マクロ無線基地局との間のインターフェイスを介して、該マクロ無線基地局から、前記ＣＳＧセルから前記マクロセルに対する干渉を低減するために適用すべき制御法を取得するように構成されていることを特徴とする移動通信システム。
【請求項３】
前記制御法は、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」で用いられる制御法であることを特徴とする請求項１又は２に記載の移動通信システム。
【請求項４】
マクロ無線基地局配下のマクロセル及びホーム無線基地局配下のＣＳＧセルが地理的に重畳するように配置されている移動通信システムにおいて該ホーム無線基地局として機能する無線基地局であって、
移動管理ノードとの間のインターフェイスを介して、前記マクロ無線基地局から、前記ＣＳＧセルから前記マクロセルに対する干渉を低減するために適用すべき制御法を取得するように構成されている取得部を具備することを特徴とする無線基地局。
【請求項５】
マクロ無線基地局配下のマクロセル及びホーム無線基地局配下のＣＳＧセルが地理的に重畳するように配置されている移動通信システムにおいて該ホーム無線基地局として機能する無線基地局であって、
前記マクロ無線基地局との間のインターフェイスを介して、該マクロ無線基地局から、前記ＣＳＧセルから前記マクロセルに対する干渉を低減するために適用すべき制御法を取得するように構成されている取得部を具備することを特徴とする無線基地局。
【請求項６】
前記取得部は、前記制御法として、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」で用いられる制御法を取得するように構成されていることを特徴とする請求項４又は５に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式において、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」で用いられる制御法として、「Ｃａｒｒｉｅｒ  Ａｇｇｒｅｇａｔｉｏｎ  ｂａｓｅｄ  ｓｃｈｅｍｅ」や「Ｔｉｍｅ  ｄｏｍａｉｎ  ｓｃｈｅｍｅ」や「Ｆｒｅｑｕｅｎｃｙ  ｄｏｍａｉｎ  ｓｃｈｅｍｅ」や「Ｄｏｗｎｌｉｎｋ  ｐｏｗｅｒ  ｃｏｎｔｒｏｌ」等といった複数の制御法が想定されている。
【０００３】
ここで、「ｅＩＣＩＣ」は、セル間の干渉を低減する制御である。
【先行技術文献】
【非特許文献】
【０００４】
【非特許文献１】３ＧＰＰ寄書Ｒ１-１０５０８１、「Ｓｕｍｍａｒｙ  ｏｆ  ｔｈｅ  ｄｅｓｃｒｉｐｔｉｏｎ  ｏｆ  ｃａｎｄｉｄａｔｅ  ｅＩＣＩＣ  ｓｏｌｕｔｉｏｎｓ」、２０１０年８月．
【非特許文献２】３ＧＰＰ  ＴＳ３６.４１３  ｖ９.４.０
【発明の概要】
【発明が解決しようとする課題】
【０００５】
しかしながら、従来のＬＴＥ方式では、マクロ無線基地局ｅＮＢ配下のマクロセル及びホーム無線基地局ＨｅＮＢ配下のＣＳＧ（Ｃｌｏｓｅｄ  Ｓｕｂｓｃｒｉｂｅｒ  Ｇｒｏｕｐ）セルが地理的に重畳するように配置されている場合に、どのように「ｅＩＣＩＣ」で用いられる制御法を決定すべきかについて明確に規定されていないという問題点があった。
【０００６】
そこで、本発明は、上述の課題に鑑みてなされたものであり、マクロ無線基地局ｅＮＢ配下のマクロセル及びホーム無線基地局ＨｅＮＢ配下のＣＳＧセルが地理的に重畳するように配置されている場合に、ＣＳＧセルからマクロセルに対する干渉を適切に低減することができる移動通信システム及び無線基地局を提供することを目的とする。
【課題を解決するための手段】
【０００７】
本発明の第１の特徴は、マクロ無線基地局配下のマクロセル及びホーム無線基地局配下のＣＳＧセルが地理的に重畳するように配置されている移動通信システムであって、前記ホーム無線基地局は、移動管理ノードとの間のインターフェイスを介して、前記マクロ無線基地局から、前記ＣＳＧセルから前記マクロセルに対する干渉を低減するために適用すべき制御法を取得するように構成されていることを要旨とする。
【０００８】
本発明の第２の特徴は、マクロ無線基地局配下のマクロセル及びホーム無線基地局配下のＣＳＧセルが地理的に重畳するように配置されている移動通信システムであって、前記ホーム無線基地局は、前記マクロ無線基地局との間のインターフェイスを介して、該マクロ無線基地局から、前記ＣＳＧセルから前記マクロセルに対する干渉を低減するために適用すべき制御法を取得するように構成されていることを要旨とする。
【０００９】
本発明の第３の特徴は、マクロ無線基地局配下のマクロセル及びホーム無線基地局配下のＣＳＧセルが地理的に重畳するように配置されている移動通信システムにおいて該ホーム無線基地局として機能する無線基地局であって、移動管理ノードとの間のインターフェイスを介して、前記マクロ無線基地局から、前記ＣＳＧセルから前記マクロセルに対する干渉を低減するために適用すべき制御法を取得するように構成されている取得部を具備することを要旨とする。
【００１０】
本発明の第４の特徴は、マクロ無線基地局配下のマクロセル及びホーム無線基地局配下のＣＳＧセルが地理的に重畳するように配置されている移動通信システムにおいて該ホーム無線基地局として機能する無線基地局であって、前記マクロ無線基地局との間のインターフェイスを介して、該マクロ無線基地局から、前記ＣＳＧセルから前記マクロセルに対する干渉を低減するために適用すべき制御法を取得するように構成されている取得部を具備することを要旨とする。
【発明の効果】
【００１１】
以上説明したように、本発明によれば、マクロ無線基地局ｅＮＢ配下のマクロセル及びホーム無線基地局ＨｅＮＢ配下のＣＳＧセルが地理的に重畳するように配置されている場合に、ＣＳＧセルからマクロセルに対する干渉を適切に低減することができる移動通信システム及び無線基地局を提供することができる。
【図面の簡単な説明】
【００１２】
【図１】本発明の第１の実施形態に係る移動通信システムの全体構成図である。
【図２】本発明の第１の実施形態に係るホーム無線基地局の機能ブロック図である。
【図３】本発明の第１の実施形態に係る移動通信システムで用いられる「Ｃａｒｒｉｅｒ  Ａｇｇｒｅｇａｔｉｏｎ  ｂａｓｅｄ  ｓｃｈｅｍｅ」について説明するための図である。
【図４】本発明の第１の実施形態に係る移動通信システムで用いられる「Ｔｉｍｅ  ｄｏｍａｉｎ  ｓｃｈｅｍｅ」について説明するための図である。
【図５】本発明の第１の実施形態に係る移動通信システムで用いられる「Ｆｒｅｑｕｅｎｃｙ  ｄｏｍａｉｎ  ｓｃｈｅｍｅ」について説明するための図である。
【図６】本発明の第１の実施形態に係る移動通信システムで用いられる「Ｄｏｗｎｌｉｎｋ  ｐｏｗｅｒ  ｃｏｎｔｒｏｌ」について説明するための図である。
【図７】本発明の第１の実施形態に係る移動通信システムの動作を示すシーケンス図である。
【図８】本発明の第１の実施形態に係る移動通信システムで用いられる「ｅＮＢ/ＭＭＥ  Ｃｏｎｆｉｇｕｒａｔｉｏｎ  Ｔｒａｎｓｆｅｒ」のフォーマットの一例を示す図である。
【図９】本発明の第１の実施形態に係る移動通信システムで用いられる「ｅＮＢ/ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」のフォーマットの一例を示す図である。
【図１０】本発明の第１の実施形態に係る移動通信システムで用いられる「ｅＮＢ/ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」のフォーマットの一例を示す図である。
【図１１】本発明の第１の実施形態に係る移動通信システムで用いられる「ｅＮＢ/ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」のフォーマットの一例を示す図である。
【図１２】本発明の変更例１に係る移動通信システムの動作を示すシーケンス図である。
【図１３】本発明の変更例１に係る移動通信システムで用いられる「ｅＮＢ  Ｃｏｎｆｉｇｕｒａｔｉｏｎ  Ｕｐｄａｔｅ」のフォーマットの一例を示す図である。
【図１４】本発明の変更例２に係る移動通信システムの動作を示すシーケンス図である。
【図１５】本発明の変更例２に係る移動通信システムで用いられる「Ｘ２  Ｓｅｔｕｐ  Ｒｅｑｕｅｓｔ」のフォーマットの一例を示す図である。
【図１６】本発明の変更例３に係る移動通信システムの動作を示すシーケンス図である。
【図１７】本発明の変更例２に係る移動通信システムで用いられる「Ｘ２  Ｓｅｔｕｐ  Ｒｅｓｐｏｎｓｅ」のフォーマットの一例を示す図である。
【発明を実施するための形態】
【００１３】
（本発明の第１の実施形態に係る移動通信システム）
図１乃至図１１を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１４】
図１に示すように、本実施形態に係る移動通信システムは、マクロセル＃Ａを管理するマクロ無線基地局ｅＮＢと、ＣＳＧセルを管理するホーム無線基地局ＨｅＮＢと、移動管理ノードＭＭＥとを具備している。
【００１５】
なお、ＣＳＧセルは、フェムト（Ｆｅｍｔｏ）セルやマイクロ（Ｍｉｃｒｏ）セルやピコ（Ｐｉｃｏ）セル等と呼ばれてもよい。
【００１６】
また、本実施形態に係る移動通信システムでは、図１に示すように、マクロ無線基地局ｅＮＢ配下のマクロセル＃Ａ及びホーム無線基地局ＨｅＮＢ配下のＣＳＧセル＃Ｂが地理的に重畳するように配置されている。
【００１７】
また、本実施形態に係る移動通信システムでは、ＣＳＧセル＃Ｂに対して「ｅＩＣＩＣ」を適用することができるように構成されている。
【００１８】
さらに、本実施形態に係る移動通信システムでは、移動管理ノードＭＭＥとマクロ無線基地局ｅＮＢとの間で、Ｓ１インターフェイスが設定されており、移動管理ノードＭＭＥとホーム無線基地局ＨｅＮＢとの間で、Ｓ１インターフェイスが設定されている。  
図２に示すように、ホーム無線基地局ＨｅＮＢは、取得部１１と、制御部１２とを具備している。
【００１９】
取得部１１は、Ｓ１インターフェイスを介して、マクロ無線基地局ｅＮＢから、ＣＳＧセル＃Ｂからマクロセル＃Ａに対する干渉を低減するために適用すべき制御法、すなわち、「ｅＩＣＩＣ」で用いられる制御法を取得するように構成されている。
【００２０】
例えば、取得部１１は、「ｅＩＣＩＣ」で用いられる制御法として、「Ｃａｒｒｉｅｒ  Ａｇｇｒｅｇａｔｉｏｎ  ｂａｓｅｄ  ｓｃｈｅｍｅ」、「Ｔｉｍｅ  ｄｏｍａｉｎ  ｓｃｈｅｍｅ」、「Ｆｒｅｑｕｅｎｃｙ  ｄｏｍａｉｎ  ｓｃｈｅｍｅ」及び「Ｄｏｗｎｌｉｎｋ  ｐｏｗｅｒ  ｃｏｎｔｒｏｌ」の少なくとも１つを取得するように構成されている。
【００２１】
制御部１２は、取得部１１によって取得された制御法を用いて、ＣＳＧセル＃Ｂからマクロセル＃Ａに対する干渉を低減するための制御、すなわち、「ｅＩＣＩＣ」を行うように構成されている。
【００２２】
例えば、取得部１１が、「ｅＩＣＩＣ」で用いられる制御法として、「Ｃａｒｒｉｅｒ  Ａｇｇｒｅｇａｔｉｏｎ  ｂａｓｅｄ  ｓｃｈｅｍｅ」を取得した場合、制御部１２は、図３に示すように、「Ｃａｒｒｉｅｒ  Ａｇｇｒｅｇａｔｉｏｎ  ｂａｓｅｄ  ｓｃｈｅｍｅ」を用いて、「ｅＩＣＩＣ」を行うように構成されている。
【００２３】
具体的には、図３に示すように、ＣＳＧセル＃Ｂにおいて、マクロセル＃Ａにおいて通信中のマクロ移動局ＵＥ＃２が、キャリアｆ１を用いて制御信号の送受信を行っており、キャリアｆ１及びｆ２を用いてデータの送受信を行っている場合には、制御部１２は、ＣＳＧセル＃Ｂにおいて通信中のホーム移動局ＵＥ＃３に対して、キャリアｆ２を用いて制御信号の送受信を行い、キャリアｆ１及びｆ２を用いてデータの送受信を行うように制御する。
【００２４】
また、取得部１１が、「ｅＩＣＩＣ」で用いられる制御法として、「Ｔｉｍｅ  ｄｏｍａｉｎ  ｓｃｈｅｍｅ」を取得した場合、制御部１２は、図４に示すように、「Ｔｉｍｅ  ｄｏｍａｉｎ  ｓｃｈｅｍｅ」を用いて、「ｅＩＣＩＣ」を行うように構成されている。
【００２５】
具体的には、図４に示すように、制御部１２は、マクロセル＃Ａにおいて信号（ＰＤＣＣＨ信号、ＰＤＳＣＨ信号、ＰＳＳ、ＳＳＳ、ＭＩＢ，ＳＩＢ-１等）の送受信が行われているサブフレームでは、ＣＳＧセル＃Ｂにおいて通信を行わないように制御する。
【００２６】
また、取得部１１が、「ｅＩＣＩＣ」で用いられる制御法として、「Ｆｒｅｑｕｅｎｃｙ  ｄｏｍａｉｎ  ｓｃｈｅｍｅ」を取得した場合、制御部１２は、図５に示すように、「Ｆｒｅｑｕｅｎｃｙ  ｄｏｍａｉｎ  ｓｃｈｅｍｅ」を用いて、「ｅＩＣＩＣ」を行うように構成されている。
【００２７】
具体的には、図５に示すように、制御部１２は、１つの周波数帯域（Ｂａｎｄｗｉｄｔｈ）を、マクロセル＃Ａ用の周波数リソースとＣＳＧセル＃Ｂ用の周波数リソースとに分割するように構成されている。
【００２８】
また、取得部１１が、「ｅＩＣＩＣ」で用いられる制御法として、「Ｄｏｗｎｌｉｎｋ  ｐｏｗｅｒ  ｃｏｎｔｒｏｌ」を取得した場合、制御部１２は、図６に示すように、「Ｄｏｗｎｌｉｎｋ  ｐｏｗｅｒ  ｃｏｎｔｒｏｌ」を用いて、「ｅＩＣＩＣ」を行うように構成されている。
【００２９】
具体的には、図６に示すように、制御部１２は、マクロセル＃Ａにおける下り信号をスキャンして、かかるスキャン結果に基づいて、ＣＳＧセル＃Ｂにおける下り信号の送信電力を制御するように構成されている。
【００３０】
以下、図７乃至図１１を参照して、本実施形態に係る移動通信システムの動作について説明する。
【００３１】
図７に示すように、ステップＳ１００１において、ホーム無線基地局ＨｅＮＢが、移動管理ノードＭＭＥに対して、「ｅＮＢ  Ｃｏｎｆｉｇｕｒａｔｉｏｎ  Ｔｒａｎｓｆｅｒ」を送信する。
【００３２】
具体的には、図８乃至図１０に示すように、かかる「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｑｕｅｓｔ」には、「ｅＩＣＩＣ」の制御法として用いるべき制御法を要求することを示す「ｅＩＣＩＣ  ｓｃｈｅｍｅ」が設定されている。
【００３３】
また、図８及び図９に示すように、かかる「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「Ｔａｒｇｅｔ  ｅＮＢ-ＩＤ」内の情報要素「Ｇｌｏｂａｌ  ｅＮＢ  ＩＤ」には、「ｅＩＣＩＣ」の制御法として用いるべき制御法を要求するマクロ無線基地局ｅＮＢの「ｅＮＢ-ＩＤ」が設定されている。
【００３４】
ステップＳ１００２において、移動管理ノードＭＭＥは、上述の「ｅＮＢ-ＩＤ」によって特定されるマクロ無線基地局ｅＮＢに対して、「ＭＭＥ  Ｃｏｎｆｉｇｕｒａｔｉｏｎ  Ｔｒａｎｓｆｅｒ」を送信する。
【００３５】
具体的には、図８乃至図１０に示すように、かかる「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｑｕｅｓｔ」には、「ｅＩＣＩＣ」の制御法として用いるべき制御法を要求することを示す「ｅＩＣＩＣ  ｓｃｈｅｍｅ」が設定されている。
【００３６】
また、図８及び図９に示すように、かかる「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「Ｔａｒｇｅｔ  ｅＮＢ-ＩＤ」内の情報要素「Ｇｌｏｂａｌ  ｅＮＢ  ＩＤ」には、「ｅＩＣＩＣ」の制御法として用いるべき制御法を要求するマクロ無線基地局ｅＮＢの「ｅＮＢ-ＩＤ」が設定されている。
【００３７】
ステップＳ１００３において、マクロ無線基地局ｅＮＢが、「ｅＩＣＩＣ」の制御法として用いるべき制御法を決定し、移動管理ノードＭＭＥに対して、「ｅＮＢ  Ｃｏｎｆｉｇｕｒａｔｉｏｎ  Ｔｒａｎｓｆｅｒ」を送信する。
【００３８】
具体的には、図８乃至図１１に示すように、かかる「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ｅＩＣＩＣ」には、「ｅＩＣＩＣ」の制御法として用いるべき制御法が設定されている。
【００３９】
また、図８及び図９に示すように、かかる「ｅＮＢ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「Ｔａｒｇｅｔ  ｅＮＢ-ＩＤ」内の情報要素「Ｇｌｏｂａｌ  ｅＮＢ  ＩＤ」には、ホーム無線基地局ＨｅＮＢの「ｅＮＢ-ＩＤ」が設定されている。
【００４０】
ステップＳ１００４において、移動管理ノードＭＭＥは、ホーム無線基地局ＨｅＮＢに対して、「ＭＭＥ  Ｃｏｎｆｉｇｕｒａｔｉｏｎ  Ｔｒａｎｓｆｅｒ」を送信する。
【００４１】
具体的には、図８乃至図１１に示すように、かかる「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「ＳＯＮ  Ｉｎｆｏｒｍａｔｉｏｎ」内の情報要素「ＳＯＮ  Ｉｎｆｏｒｍａｔｉｏｎ  Ｒｅｐｌｙ」内の情報要素「ｅＩＣＩＣ」には、「ｅＩＣＩＣ」の制御法として用いるべき制御法が設定されている。
【００４２】
また、図８及び図９に示すように、かかる「ＭＭＥ  Ｃｏｎｆｉｇｕｒａｔｉｏｎ  Ｔｒａｎｓｆｅｒ」内の情報要素「ＳＯＮ  Ｃｏｎｆｉｇｕｒａｔｉｏｎ  Ｔｒａｎｓｆｅｒ」内の情報要素「Ｔａｒｇｅｔ  ｅＮＢ-ＩＤ」内の情報要素「Ｇｌｏｂａｌ  ｅＮＢ  ＩＤ」には、ホーム無線基地局ＨｅＮＢの「ｅＮＢ-ＩＤ」が設定されている。
【００４３】
本実施形態に係る移動通信システムによれば、ホーム無線基地局ＨｅＮＢが、Ｓ１インターフェイスを介して、マクロ無線基地局ｅＮＢから、「ｅＩＣＩＣ」の制御法として用いるべき制御法を取得するように構成されているため、ＣＳＧセル＃Ｂからマクロセル＃Ａに対する干渉を適切に低減することができる。
【００４４】
（変更例１）
図１２及び図１３を参照して、本発明の変更例１に係る移動通信システムについて、上述の第１の実施形態に係る移動通信システムとの相違点に着目して説明する。
【００４５】
本変更例１に係る移動通信システムでは、ホーム無線基地局ＨｅＮＢの取得部１１は、Ｘ２インターフェイスを介して、マクロ無線基地局ｅＮＢから、ＣＳＧセル＃Ｂからマクロセル＃Ａに対する干渉を低減するために適用すべき制御法、すなわち、「ｅＩＣＩＣ」で用いられる制御法を取得するように構成されている。
【００４６】
図１２に示すように、ステップＳ２００１において、マクロ無線基地局ｅＮＢは、ホーム無線基地局ＨｅＮＢに対して、「ｅＮＢ  Ｃｏｎｆｉｇｕｒａｔｉｏｎ  Ｕｐｄａｔｅ」を送信する。
【００４７】
具体的には、図１３に示すように、かかる「ｅＮＢ  Ｃｏｎｆｉｇｕｒａｔｉｏｎ  Ｕｐｄａｔｅ」内の情報要素「ｅＩＣＩＣ  ｓｃｈｅｍｅ」には、「ｅＩＣＩＣ」の制御法として用いるべき制御法が設定されている。
【００４８】
ステップＳ２００２において、ホーム無線基地局ＨｅＮＢは、マクロ無線基地局ｅＮＢに対して、「ｅＮＢ  Ｃｏｎｆｉｇｕｒａｔｉｏｎ  Ｕｐｄａｔｅ  ＡＣＫ」を送信する。
【００４９】
本実施形態に係る移動通信システムによれば、ホーム無線基地局ＨｅＮＢが、Ｘ２インターフェイスを介して受信した「ｅＮＢ  Ｃｏｎｆｉｇｕｒａｔｉｏｎ  Ｕｐｄａｔｅ」によって、「ｅＩＣＩＣ」の制御法として用いるべき制御法を取得するように構成されているため、ＣＳＧセル＃Ｂからマクロセル＃Ａに対する干渉を適切に低減することができる。
【００５０】
（変更例２）
図１４及び図１５を参照して、本発明の変更例２に係る移動通信システムについて、上述の第１の実施形態に係る移動通信システムとの相違点に着目して説明する。
【００５１】
本変更例２に係る移動通信システムでは、ホーム無線基地局ＨｅＮＢの取得部１１は、Ｘ２インターフェイスを介して、マクロ無線基地局ｅＮＢから、ＣＳＧセル＃Ｂからマクロセル＃Ａに対する干渉を低減するために適用すべき制御法、すなわち、「ｅＩＣＩＣ」で用いられる制御法を取得するように構成されている。
【００５２】
図１４に示すように、ステップＳ３００１において、マクロ無線基地局ｅＮＢは、ホーム無線基地局ＨｅＮＢに対して、「Ｘ２  Ｓｅｔｕｐ  Ｒｅｑｕｅｓｔ」を送信する。
【００５３】
具体的には、図１５に示すように、かかる「Ｘ２  Ｓｅｔｕｐ  Ｒｅｑｕｅｓｔ」内の情報要素「ｅＩＣＩＣ  ｓｃｈｅｍｅ」には、「ｅＩＣＩＣ」の制御法として用いるべき制御法が設定されている。
【００５４】
ステップＳ３００２において、ホーム無線基地局ＨｅＮＢは、マクロ無線基地局ｅＮＢに対して、「Ｘ２  Ｓｅｔｕｐ  Ｒｅｓｐｏｎｓｅ」を送信する。
【００５５】
本実施形態に係る移動通信システムによれば、ホーム無線基地局ＨｅＮＢが、Ｘ２インターフェイスを介して受信した「Ｘ２  Ｓｅｔｕｐ  Ｒｅｑｕｅｓｔ」によって、「ｅＩＣＩＣ」の制御法として用いるべき制御法を取得するように構成されているため、ＣＳＧセル＃Ｂからマクロセル＃Ａに対する干渉を適切に低減することができる。
【００５６】
（変更例３）
図１６及び図１７を参照して、本発明の変更例３に係る移動通信システムについて、上述の第１の実施形態に係る移動通信システムとの相違点に着目して説明する。
【００５７】
図１６に示すように、ステップＳ４００１において、マクロ無線基地局ｅＮＢは、ホーム無線基地局ＨｅＮＢに対して、「Ｘ２  Ｓｅｔｕｐ  Ｒｅｑｕｅｓｔ」を送信する。
【００５８】
ステップＳ４００２において、ホーム無線基地局ＨｅＮＢは、マクロ無線基地局ｅＮＢに対して、「Ｘ２  Ｓｅｔｕｐ  Ｒｅｓｐｏｎｓｅ」を送信する。
【００５９】
具体的には、図１７に示すように、かかる「Ｘ２  Ｓｅｔｕｐ  Ｒｅｓｐｏｎｓｅ」内の情報要素「ｅＩＣＩＣ  ｓｃｈｅｍｅ」には、「ｅＩＣＩＣ」の制御法として用いるべき制御法が設定されている。
【００６０】
本実施形態に係る移動通信システムによれば、ホーム無線基地局ＨｅＮＢが、Ｘ２インターフェイスを介して受信した「Ｘ２  Ｓｅｔｕｐ  Ｒｅｓｐｏｎｓｅ」によって、「ｅＩＣＩＣ」の制御法として用いるべき制御法を取得するように構成されているため、ＣＳＧセル＃Ｂからマクロセル＃Ａに対する干渉を適切に低減することができる。
【００６１】
以上に述べた本実施形態の特徴は、以下のように表現されていてもよい。
【００６２】
本実施形態の第１の特徴は、マクロ無線基地局ｅＮＢ配下のマクロセル＃Ａ及びホーム無線基地局ＨｅＮＢ配下のＣＳＧセル＃Ｂが地理的に重畳するように配置されている移動通信システムであって、ホーム無線基地局ＨｅＮＢは、Ｓ１インターフェイス（移動管理ノードＭＭＥとの間のインターフェイス）を介して、マクロ無線基地局ｅＮＢから、ＣＳＧセル＃Ｂからマクロセル＃Ａに対する干渉を低減するために適用すべき制御法を取得するように構成されていることを要旨とする。
【００６３】
本実施形態の第２の特徴は、マクロ無線基地局ｅＮＢ配下のマクロセル＃Ａ及びホーム無線基地局ＨｅＮＢ配下のＣＳＧセル＃Ｂが地理的に重畳するように配置されている移動通信システムであって、ホーム無線基地局ＨｅＮＢは、Ｘ２インターフェイス（マクロ無線基地局ｅＮＢとの間のインターフェイス）を介して、マクロ無線基地局ｅＮＢから、ＣＳＧセル＃Ｂからマクロセル＃Ａに対する干渉を低減するために適用すべき制御法を取得するように構成されていることを要旨とする。
【００６４】
本実施形態の第１及び第２の特徴において、かかる制御法は、「ｅＩＣＩＣ（Ｅｎｈａｎｃｅｄ  Ｉｎｔｅｒ  Ｃｅｌｌ  Ｉｎｔｅｒｆｅｒｅｎｃｅ  Ｃｏｏｒｄｉｎａｔｉｏｎ）」で用いられる制御法であってもよい。
【００６５】
本実施形態の第３の特徴は、マクロ無線基地局ｅＮＢ配下のマクロセル＃Ａ及びホーム無線基地局ＨｅＮＢ配下のＣＳＧセル＃Ｂが地理的に重畳するように配置されている移動通信システムにおいてホーム無線基地局ＨｅＮＢとして機能する無線基地局であって、Ｓ１インターフェイスを介して、マクロ無線基地局ｅＮＢから、ＣＳＧセル＃Ｂからマクロセル＃Ａに対する干渉を低減するために適用すべき制御法を取得するように構成されている取得部１１を具備することを要旨とする。
【００６６】
本実施形態の第４の特徴は、マクロ無線基地局ｅＮＢ配下のマクロセル＃Ａ及びホーム無線基地局ＨｅＮＢ配下のＣＳＧセル＃Ｂが地理的に重畳するように配置されている移動通信システムにおいてホーム無線基地局ＨｅＮＢとして機能する無線基地局であって、Ｘ２インターフェイスを介して、マクロ無線基地局ｅＮＢから、ＣＳＧセル＃Ｂからマクロセル＃Ａに対する干渉を低減するために適用すべき制御法を取得するように構成されている取得部１１を具備することを要旨とする。
【００６７】
本実施形態の第３及び第４の特徴において、取得部１１は、かかる制御法として、「ｅＩＣＩＣ」で用いられる制御法を取得するように構成されていてもよい。
【００６８】
なお、上述のホーム無線基地局ＨｅＮＢやマクロ無線基地局ｅＮＢや移動管理ノードＭＭＥの動作は、ハードウェアによって実施されてもよいし、プロセッサによって実行されるソフトウェアモジュールによって実施されてもよいし、両者の組み合わせによって実施されてもよい。
【００６９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ホーム無線基地局ＨｅＮＢやマクロ無線基地局ｅＮＢや移動管理ノードＭＭＥ内に設けられていてもよい。また、かかる記憶媒体及びプロセッサは、ディスクリートコンポーネントとしてホーム無線基地局ＨｅＮＢやマクロ無線基地局ｅＮＢや移動管理ノードＭＭＥ内に設けられていてもよい。
【００７１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７２】
ｅＮＢ…マクロ無線基地局
ＨｅＮＢ…ホーム無線基地局
１１…取得部
１２…制御部
ＭＭＥ…移動管理ノード
【図１】
2012080445.tif 000003
【図２】
2012080445.tif 000004
【図３】
2012080445.tif 000005
【図４】
2012080445.tif 000006
【図５】
2012080445.tif 000007
【図６】
2012080445.tif 000008
【図７】
2012080445.tif 000009
【図８】
2012080445.tif 000010
【図９】
2012080445.tif 000011
【図１０】
2012080445.tif 000012
【図１１】
2012080445.tif 000013
【図１２】
2012080445.tif 000014
【図１３】
2012080445.tif 000015
【図１４】
2012080445.tif 000016
【図１５】
2012080445.tif 000017
【図１６】
2012080445.tif 000018
【図１７】
2012080445.tif 000019